(57)【要約】【課題】複写禁止書面の複製などの違法な行為の追跡に役立つような情報を実行履歴の一部として蓄積し得る画像形成装置を提供すること。【解決手段】ジョブを実行する際に得られるビットマップに、取扱禁止画像が含まれるか否かを所定のパターン照合により判断する。そして、取扱禁止画像が含まれていると判断したとき、そのジョブのジョブサマリー情報と取扱禁止アトリビュート情報とを関連付けてジョブ実行履歴データベース１７ａに記憶する。【選択図】図１
2007150983.tif 000002
【特許請求の範囲】
【請求項１】
外部装置から自装置へ入力され、又は自装置の操作子からの指示に応じて生成した画像処理ジョブを実行すると共に、その画像処理ジョブからジョブの概要を示す文字列であるジョブサマリー情報を抽出するジョブ実行制御手段と、
前記ジョブ実行制御手段が画像処理ジョブを実行する際に得たビットマップに対して所定のパターン認識処理を施すことより、そのビットマップが予め設定された取扱禁止画像を描画するものであるか判断する描画内容判断手段と、
画像処理ジョブの実行履歴を記憶する記憶手段と、
ビットマップが取扱禁止画像を描画するものであると前記描画内容判断手段が判断したとき、前記抽出されたジョブサマリー情報と取扱禁止画像を含むジョブであることを示す禁止画像アトリビュート情報とを関連付け、実行履歴として前記記憶手段に記憶させる一方、ビットマップが取扱禁止画像を描画するものでないと前記描画内容判断手段が判断したとき、前記抽出されたジョブサマリー情報を前記禁止画像アトリビュート情報と関連付けることなく、実行履歴として前記記憶手段に記憶させる履歴蓄積手段と、
情報の表示手段と、
前記記憶手段に実行履歴として記憶された各ジョブサマリー情報を読み出し、読み出したジョブサマリー情報を前記表示手段にリストとして表示させる第１の表示制御手段と、
前記第１の表示制御手段が前記表示手段に表示させた各ジョブサマリー情報のうち前記記憶手段にて禁止画像アトリビュート情報と関連付けられたジョブサマリー情報を特定し、取扱禁止画像を含むジョブであることを示す文字又は文字列を当該特定したジョブサマリー情報と対応付けて前記表示手段に表示させる第２の表示制御手段と
を備えた画像処理装置。
【請求項２】
請求項１に記載の画像処理装置において、
前記表示手段にリストとして表示された各ジョブサマリー情報のうち１つを選択する選択手段と、
前記選択手段を介してジョブサマリー情報が選択されると、選択されたジョブサマリー情報が前記記憶手段にて禁止画像アトリビュート情報と関連付けられているか判断する属性判断手段と、
ジョブサマリー情報が禁止画像アトリビュート情報と関連付けられていないと前記属性判断手段が判断したとき、そのジョブサマリー情報を抽出した画像処理ジョブから得たビットマップを所定の解像度で表すサムネイル画像を前記表示手段に表示させる一方、ジョブサマリー情報が禁止画像アトリビュート情報と関連付けられていると前記属性判断手段が判断したとき、そのジョブサマリー情報を抽出した画像処理ジョブから得たビットマップを所定の解像度で表し且つ描画領域の一部又は全部をマスキングしたサムネイル画像を前記表示手段に表示させる第３の表示制御手段と
を更に備えた画像処理装置。
【請求項３】
請求項１に記載の画像処理装置において、
前記表示手段にリストとして表示された各ジョブサマリー情報のうち１つを選択する選択手段と、
前記選択手段を介してジョブサマリー情報が選択されると、選択されたジョブサマリー情報が前記記憶手段にて禁止画像アトリビュート情報と関連付けられているか判断する属性判断手段と、
ジョブサマリー情報が禁止画像アトリビュート情報と関連付けられていないと前記属性判断手段が判断したとき、そのジョブサマリー情報を抽出した画像処理ジョブから得たビットマップを第１の解像度で表すサムネイル画像を前記表示手段に表示させる一方、ジョブサマリー情報が禁止画像アトリビュート情報と関連付けられていると前記属性判断手段が判断したとき、そのジョブサマリー情報を抽出した画像処理ジョブから得たビットマップを前記第１の解像度よりも低い第２の解像度で表すサムネイル画像を前記表示手段に表示させる第４の表示制御手段と
を更に備えた画像処理装置。
【請求項４】
請求項１に記載の画像処理装置において、
前記表示手段にリストとして表示された各ジョブサマリー情報のうち１つを選択する選択手段と、
前記選択手段を介してジョブサマリー情報が選択されると、選択されたジョブサマリー情報が前記記憶手段にて禁止画像アトリビュート情報と関連付けられているか判断する属性判断手段と
を更に備え、
前記ジョブ実行制御手段は、
ジョブサマリー情報が禁止画像アトリビュート情報と関連付けられていないと前記属性判断手段が判断したとき、そのジョブサマリー情報を抽出した画像処理ジョブを再び実行する
画像処理装置。
【請求項５】
請求項１乃至４に記載の画像処理装置において、
前記ジョブ実行制御手段は、
画像処理ジョブの実行を指示したユーザのユーザ識別子をジョブサマリー情報の一部として画像処理ジョブから抽出する
画像処理装置。
【発明の詳細な説明】
【技術分野】
【０００１】
本発明は、画像処理装置に関し、特に、画像処理ジョブの実行履歴を蓄積管理する画像処理装置に関する。      
【背景技術】
【０００２】
複合機は、文書やイメージなどのファイルをピットマップ化して用紙などの記録材に印字するプリントジョブ、原稿をスキャンして得たビットマップを単数又は複数の記録材に複写するコピージョブ、原稿をスキャンしてイメージファイル化するスキャンジョブ、或いはそのイメージをアナログ信号として送信するＦＡＸ送信ジョブなどの各種ジョブを実行する。そして、この種の複合機は、実行済みのジョブとそのジョブ番号やユーザ名などのサマリー情報とを対応付けたジョブ実行履歴を自機のメモリに蓄積記憶して適宜リスト表示し、リスト上の何れかの実行履歴が選択されると、その実行履歴に応じたジョブを再び実行して実行結果を出力するようになっている（例えば、特許文献１を参照）。
【特許文献１】特開２００４−１９９４０９
【発明の開示】
【発明が解決しようとする課題】
【０００３】
ところで、近年の画像処理装置はその色再現性や解像度が著しく向上しており、紙幣や株券などのいわゆる複写禁止書面を精緻に複製することも容易になってきている。このため、複写禁止書面の複製などの違法な行為の追跡に役立つような情報をも実行履歴の一部として蓄積し得るような画像処理装置の提供が望まれている。
本実施形態は、このような背景の下に案出されたものであり、複写禁止書面の複製などの違法な行為の追跡に役立つような情報を実行履歴の一部として蓄積し得る画像処理装置を提供することを目的とする。
【課題を解決するための手段】
【０００４】
本発明の好適な態様である画像処理装置は、外部装置から自装置へ入力され、又は自装置の操作子からの指示に応じて生成した画像処理ジョブを実行すると共に、その画像処理ジョブからジョブの概要を示す文字列であるジョブサマリー情報を抽出するジョブ実行制御手段と、前記ジョブ実行制御手段が画像処理ジョブを実行する際に得たビットマップに対して所定のパターン認識処理を施すことより、そのビットマップが予め設定された取扱禁止画像を描画するものであるか判断する描画内容判断手段と、画像処理ジョブの実行履歴を記憶する記憶手段と、ビットマップが取扱禁止画像を描画するものであると前記描画内容判断手段が判断したとき、前記抽出されたジョブサマリー情報と取扱禁止画像を含むジョブであることを示す禁止画像アトリビュート情報とを関連付け、実行履歴として前記記憶手段に記憶させる一方、ビットマップが取扱禁止画像を描画するものでないと前記描画内容判断手段が判断したとき、前記抽出されたジョブサマリー情報を前記禁止画像アトリビュート情報と関連付けることなく、実行履歴として前記記憶手段に記憶させる履歴蓄積手段と、情報の表示手段と、前記記憶手段に実行履歴として記憶された各ジョブサマリー情報を読み出し、読み出したジョブサマリー情報を前記表示手段にリストとして表示させる第１の表示制御手段と、前記第１の表示制御手段が前記表示手段に表示させた各ジョブサマリー情報のうち前記記憶手段にて禁止画像アトリビュート情報と関連付けられたジョブサマリー情報を特定し、取扱禁止画像を含むジョブであることを示す文字又は文字列を当該特定したジョブサマリー情報と対応付けて前記表示手段に表示させる第２の表示制御手段とを備える。
【０００５】
この態様において、前記表示手段にリストとして表示された各ジョブサマリー情報のうち１つを選択する選択手段と、前記選択手段を介してジョブサマリー情報が選択されると、選択されたジョブサマリー情報が前記記憶手段にて禁止画像アトリビュート情報と関連付けられているか判断する属性判断手段と、ジョブサマリー情報が禁止画像アトリビュート情報と関連付けられていないと前記属性判断手段が判断したとき、そのジョブサマリー情報を抽出した画像処理ジョブから得たビットマップを所定の解像度で表すサムネイル画像を前記表示手段に表示させる一方、ジョブサマリー情報が禁止画像アトリビュート情報と関連付けられていると前記属性判断手段が判断したとき、そのジョブサマリー情報を抽出した画像処理ジョブから得たビットマップを所定の解像度で表し且つ描画領域の一部又は全部をマスキングしたサムネイル画像を前記表示手段に表示させる第３の表示制御手段とを更に備えてもよい。
【０００６】
また、前記表示手段にリストとして表示された各ジョブサマリー情報のうち１つを選択する選択手段と、前記選択手段を介してジョブサマリー情報が選択されると、選択されたジョブサマリー情報が前記記憶手段にて禁止画像アトリビュート情報と関連付けられているか判断する属性判断手段と、ジョブサマリー情報が禁止画像アトリビュート情報と関連付けられていないと前記属性判断手段が判断したとき、そのジョブサマリー情報を抽出した画像処理ジョブから得たビットマップを第１の解像度で表すサムネイル画像を前記表示手段に表示させる一方、ジョブサマリー情報が禁止画像アトリビュート情報と関連付けられていると前記属性判断手段が判断したとき、そのジョブサマリー情報を抽出した画像処理ジョブから得たビットマップを前記第１の解像度よりも低い第２の解像度で表すサムネイル画像を前記表示手段に表示させる第４の表示制御手段とを更に備えてもよい。
【０００７】
また、前記表示手段にリストとして表示された各ジョブサマリー情報のうち１つを選択する選択手段と、前記選択手段を介してジョブサマリー情報が選択されると、選択されたジョブサマリー情報が前記記憶手段にて禁止画像アトリビュート情報と関連付けられているか判断する属性判断手段とを更に備え、前記ジョブ実行制御手段は、ジョブサマリー情報が禁止画像アトリビュート情報と関連付けられていないと前記属性判断手段が判断したとき、そのジョブサマリー情報を抽出した画像処理ジョブを再び実行してもよい。
【０００８】
また、前記ジョブ実行制御手段は、画像処理ジョブの実行を指示したユーザのユーザ識別子をジョブサマリー情報の一部として画像処理ジョブから抽出するようにしてもよい。
【発明の効果】
【０００９】
本発明によると、複写禁止書面の複製などの違法な行為の追跡に役立つような情報を実行履歴の一部として画像処理装置に蓄積させることができる。
【発明を実施するための最良の形態】
【００１０】
（発明の実施の形態）
本願発明の実施形態について説明する。
図１は、本実施形態にかかる画像処理装置１０のハードウェア構成を示すブロック図である。この画像処理装置１０は、原稿をスキャンして得たビットマップを記録材に印字出力するコピーサービスと、原稿をスキャンして得たビットマップをアナログ信号として外部装置へ送信するＦＡＸサービスとを提供する。図に示すように、画像処理装置１０は、ユーザインタフェース（以下、「ＵＩ」と称す）１１、ジョブ管理制御部１２、モデム１３、ＩＩＴ（Image Input Terminal）１４、ＩＯＴ（Image Output Terminal）１５、ジョブ実行制御部１６、及びハードディスク１７を備える。
【００１１】
ＵＩ１１は、画像処理装置１０のユーザに対する情報の提示及びユーザからの情報の入力を司るモジュールであり、表示部１１ａと操作部１１ｂとを有する。表示部１１ａは液晶ディスプレイであり、操作部１１ｂは各種操作ボタンである。これら両部はタッチディスプレイとして一体的に構成されてもよい。サービスを利用するユーザは、自身を識別するユーザＩＤの入力を条件に、このＵＩ１１の操作部１１ｂを介して各種サービスの利用を指示する。
【００１２】
ジョブ管理制御部１２は、ＣＰＵ１２ａ、ＲＡＭ１２ｂ、ＲＯＭ１２ｃ、実行待ちジョブメモリ１２ｄなどを備える。そして、このジョブ管理制御部１２は、操作部１１ｂを介したサービスの利用指示に応じてジョブを生成し、実行待ちジョブメモリ１２ｄにキューイングする。実行待ちジョブメモリ１２ｄにキューイングされるジョブには、コピージョブとＦＡＸ送信ジョブの２つがある。
【００１３】
コピージョブは、ジョブの順序を示すジョブ番号、ユーザが入力したユーザＩＤ、入力日時を表す日時情報、及び複製物の印字出力の態様（カラー／モノクロ、用紙サイズ、拡大率／縮小率、Ｕ−ｕｐ）を表す出力態様パラメータ等の各種データを含んでいる。
ＦＡＸ送信ジョブは、ジョブ番号、ユーザＩＤ、日時情報、宛先の電話番号等の各種データを含んでいる。
【００１４】
また、後述するように、このジョブ管理制御部１２は、実行済みのジョブを各種データと対応付けた実行履歴としてハードディスク１７のデータベース１７ａに蓄積記憶すると共に、それらの実行履歴の蓄積内容をＵＩ１１の表示部１１ａを介して提示する処理を行う。
【００１５】
モデム１３は、電話回線網を介したアナログ信号の遣り取りを司るモジュールである。
ＩＩＴ１４は、ＣＣＤ（Charge Coupled Device）や光源などのデバイス群の総称であり、原稿を光学的に走査してビットマップを生成する。ＩＯＴ１５は、感光体ドラム、帯電器、現像器などのデバイス群の総称であり、ビットマップをトナー像として記録材に印字出力する。
【００１６】
ジョブ実行制御部１６は、モデム１３、ＩＩＴ１４、及びＩＯＴ１５を駆動させることにより、ジョブ管理制御部１２の実行待ちジョブメモリ１２ｄにキューイングされたジョブを逐次実行する。このジョブ実行制御部１６による各部の駆動内容は、実行対象となるジョブがコピージョブであるかＦＡＸ送信ジョブであるかに応じて異なる。実行対象のジョブがコピージョブである場合は、ＩＩＴ１４に原稿をスキャンさせて得たＲＧＢ又はモノクロのビットマップをそのコピージョブに含まれる出力態様パラメータに応じて適宜レイアウトしてからＩＯＴ１５に供給する。実行対象のジョブがＦＡＸ送信ジョブである場合は、ＩＩＴ１４に原稿をスキャンさせて得たモノクロのビットマップをアナログ信号化し、そのＦＡＸ送信ジョブに含まれる電話番号宛てにモデム１３を通じて送信する。
【００１７】
ハードディスク１７は、ジョブ実行履歴データベース１７ａを記憶する。
図２は、ジョブ実行履歴データベース１７ａのデータ構造図である。このデータベース１７ａは、各々が、実行済みのジョブと対応する複数のレコードの集合体である。
このデータベース１７ａを構成する１つのレコードは、「Ｎｏ．」、「ＵＳＥＲ」、「ＤＡＴＥ」、「サービス」、「ジョブ」、「アトリビュート」の６つのフィールドを有している。「Ｎｏ．」のフィールドにはジョブ番号が、「ＵＳＥＲ」のフィールドにはユーザＩＤが、「ＤＡＴＥ」のフィールドには日時情報がそれぞれ記憶される。これらのデータは実行済みジョブから夫々抽出される。「サービス」のフィールドには、実行済みのジョブがコピージョブであるかＦＡＸ送信ジョブであるかを示す情報であるジョブ種別情報が記憶される。なお、以降の説明においては、ジョブ番号、ユーザＩＤ、日時情報、及びジョブ種別情報を纏めて適宜「ジョブサマリー情報」と呼ぶことにする。「ジョブ」のフィールドには、実行済みのジョブがその実行結果と共に記憶される。「アトリビュート」のフィールドには、実行済みのジョブが紙幣や有価証券などといった複製の禁じられた書面の画像（以下、「取扱禁止画像」と呼ぶ）を含むことを示す場合にそのことを示す禁止画像アトリビュート情報が記憶される。
【００１８】
次に、本実施形態の動作を説明する。
本実施形態の動作は、ジョブ履歴蓄積処理とジョブ履歴提示処理とに大別することができる。
図３は、ジョブ履歴蓄積処理を示すフローチャートである。
図に示す処理は、ジョブ実行制御部１６による実行待ちジョブメモリ１２ｄのジョブの実行が完了するたびに行われる。
【００１９】
ジョブ実行制御部１６によってジョブの実行が完了すると、ジョブ管理制御部１２は、ジョブ実行履歴データベース１７ａにレコードを一つ追加する（Ｓ１００）。
ジョブ管理制御部１２は、実行済みのジョブとそのジョブから取得したジョブサマリー情報をステップ１００で追加したレコードに記憶する（Ｓ１１０）。具体的には、以下の処理を行う。まず、実行済みのジョブとその実行結果を「ジョブ」のフィールドに記憶する。続いて、そのジョブに含まれるジョブ番号、ユーザＩＤ、及び日時情報を、「Ｎｏ．」、「ＵＳＥＲ」、及び「ＤＡＴＥ」のフィールドに夫々記憶する。更に、実行済みのジョブがコピージョブであったときは、「コピー」のジョブ種別情報を「サービス」のフィールドに記憶する一方、実行済みのジョブがＦＡＸ送信ジョブであったときは、「ＦＡＸ」のジョブ種別情報を「サービス」のフィールドに記憶する。
【００２０】
ジョブ管理制御部１２は、実行済みジョブをジョブ実行制御部１６が実行した際に得ていたビットマップと予め準備されたパターンとを照合することによって、そのビットマップが取扱禁止画像を含むものであったか否か判断する（Ｓ１２０）。
パターン照合による取扱禁止画像の判断手法には種々の態様があり、本願発明ではそれらの何れを採用してもよい。例えば、取扱禁止画像の一つである紙幣は日本銀行印が朱色で印字されているはずなので、ＲＧＢのビットマップから朱色の成分の画像を抽出し、その画像を予め登録されている日本銀行印のパターンと照合することによって判断を行うとよい。
【００２１】
ステップ１２０において、ビットマップが取扱禁止画像を描画するものであると判断したとき、ジョブ管理制御部１２は、ステップ１００にて追加したレコードの「アトリビュート」のフィールドに禁止画像アトリビュート情報を記憶する（Ｓ１３０）。
ステップ１２０において、ビットマップが取扱禁止画像を描画するものでないと判断したとき、ジョブ管理制御部１２は、ステップ１３０を実行することなく処理を終了し、実行待ちジョブメモリ１２ｄにキューイングされている次のジョブの実行が完了するのを待つ。
【００２２】
図４及び図５は、ジョブ履歴提示処理を示すフローチャートである。
図に示す処理は、ＵＩ１１の操作部１１ｂからジョブ履歴の提示が指示されるたびに実行される。
ジョブ履歴の提示が指示されると、ジョブ管理制御部１２は、ジョブ番号を記憶する変数領域を自身のＲＡＭ１２ｂに確保し、その変数領域に初期値である「０」を入力する（Ｓ２００）。
【００２３】
続いて、ジョブ管理制御部１２は、変数領域のジョブ番号を「Ｎｏ．」のフィールドに記憶したレコードがジョブ実行履歴データベース１７ａにあるか否か判断する（Ｓ２１０）。
ステップ２１０にてジョブ番号を「Ｎｏ．」のフィールドに記憶したレコードがあると判断したとき、ジョブ管理制御部１２は、そのレコードを特定する（Ｓ２２０）。
【００２４】
ジョブ管理制御部１２は、ステップ２２０で特定したレコードからジョブサマリー情報を読み出す（Ｓ２３０）。具体的には、特定したレコードの「Ｎｏ．」のフィールドに記憶されたジョブ番号、「ＵＳＥＲ」のフィールドに記憶されたユーザＩＤ、「ＤＡＴＥ」のフィールドに記憶された日時情報、及び「サービス」のフィールドに記憶されたジョブ種別情報を纏めて読み出す。
ジョブ管理制御部１２は、ステップ２２０で特定したレコードの「アトリビュート」のフィールドに、禁止画像アトリビュート情報が記憶されているか否か判断する（Ｓ２４０）。
【００２５】
ステップ２４０にて禁止画像アトリビュート情報が記憶されていないと判断したとき、ジョブ管理制御部１２は、ステップ２３０で読み出したジョブサマリー情報を、ジョブ実行履歴のひとつとしてＵＩ１１の表示部１１ａに表示させる（Ｓ２５０）。
ステップ２４０にて禁止画像アトリビュート情報が記憶されていると判断したとき、ジョブ管理制御部１２は、ステップ２３０で読み出したジョブサマリー情報と取扱禁止画像を含むジョブであることを示す固有の文字とを対応付け、ジョブ実行履歴のひとつとしてＵＩ１１の表示部１１ａに表示させる（Ｓ２６０）。
ステップ２５０又はステップ２６０を実行したジョブ管理制御部１２は、変数領域のジョブ番号を１つカウントアップした後（Ｓ２７０）、ステップ２１０に戻り、以降の処理を繰り返す。
【００２６】
ジョブ実行履歴データベース１７ａの各レコードについて以上の処理が繰り返されることにより、ＵＩ１１の表示部１１ａには、図６に示すように、実行済みのジョブのジョブサマリー情報がジョブ実行履歴のリストとして表示されることになる。この図においては、ジョブ番号「００２」と対応する実行済みジョブの左側に、「禁」の文字を丸で囲んだ文字が記されている。これは、そのジョブが取扱禁止画像を含むジョブであったことを表している。
ステップ２１０にて変数領域のジョブ番号を「Ｎｏ．」のフィールドに記憶したレコードがないと判断したとき、ジョブ管理制御部１２は、ジョブ選択要求メッセージをＵＩ１１の表示部１１ａに表示させる（Ｓ２８０）。
【００２７】
このメッセージは、「サムネイルをご覧になりたいジョブを選んで下さい。」という内容を表す文字列である。
ジョブ選択要求メッセージを参照したユーザは、ＵＩ１１の表示部１１ａにジョブ実行履歴のリストとして表示されているジョブサマリー情報のうちひとつをＵＩ１１の操作部１１ｂを介して選択する。
【００２８】
ジョブサマリー情報が選択されると、ジョブ管理制御部１２は、選択されたジョブサマリー情報を記憶しているレコードをジョブ実行履歴データベース１７ａから特定する（Ｓ２９０）。
ジョブ管理制御部１２は、ステップ２９０で特定したレコードの「アトリビュート」のフィールドに禁止画像アトリビュート情報が記憶されているか判断する（Ｓ３００）。
【００２９】
ステップ３００にて禁止画像アトリビュート情報が記憶されていないと判断したとき、ジョブ管理制御部１２は、ステップ２９０で特定したレコードの「ジョブ」のフィールドにジョブの実行結果として記憶されたビットマップを読み出し、そのビットマップを所定の解像度で表すサムネイル画像と再実行案内メッセージをＵＩ１１の表示部１１ａに表示させる（Ｓ３１０）。
このステップにおいて、サムネイル画像と共に表示される再実行案内メッセージは、「選択されたジョブは、取扱禁止画像を含まないので再実行ができます。再実行を指示してください。」という内容の文字列である。
【００３０】
再実行案内メッセージを選択したユーザは、ＵＩ１１の操作部１１ｂを介してジョブの再実行を指示する。
ジョブの再実行が指示されると、ジョブ実効制御部は、選択されたジョブを再実行して得たビットマップを出力する（Ｓ３２０）。このステップにおける出力の態様は、選択されたジョブがコピージョブであるかＦＡＸ送信ジョブであるかにより異なる。つまり、選択されたジョブがコピージョブであったときはそのジョブから得たビットマップをＩＯＴ１５に印字出力させ、選択されたジョブがＦＡＸ送信ジョブであったときはそのジョブから得たビットマップをモデム１３から送信する。
【００３１】
ステップ３００にて禁止画像アトリビュート情報が記憶されていると判断したとき、ジョブ管理制御部１２は、ステップ２９０で特定したレコードの「ジョブ」のフィールドに記憶されたジョブを読み出し、そのジョブから得たビットマップを所定の解像度で表し且つ取扱禁止画像の描画領域をマスキングしたサムネイル画像と再実行不能メッセージをＵＩ１１の表示部１１ａに表示させる（Ｓ３３０）。
このステップにおいて、サムネイル画像と共に表示される再実行案内メッセージは、「選択されたジョブは、取扱禁止画像を含んでいますので再実行ができません。」という内容の文字列である。
【００３２】
図７は、取扱禁止画像を含まないジョブのサムネイル画像と取扱禁止画像を含むジョブのサムネイル画像を比較した図である。図７（ａ）に示すサムネイル画像はジョブから得たビットマップの描画領域の全てを表わすものとなっているのに対し、図７（ｂ）に示すサムネイル画像はジョブから得たビットマップの下半分の描画領域が黒の画素によりマスキングされている。これは、このマスキングされた描画領域に取扱禁止画像が含まれていたことを示している。  
【００３３】
以上説明した本実施形態では、コピージョブ又はＦＡＸ送信ジョブを実行する際に得られるビットマップに取扱禁止画像が含まれている場合には、そのことを示す禁止画像アトリビュート情報がジョブ実行履歴の一部としてジョブ実行履歴データベース１７ａに記憶される。そして、データベース１７ａに蓄積されたジョブ実行履歴をユーザに提示する際は、取扱禁止画像を含んでいたジョブのジョブサマリー情報が取扱禁止画像を示す固有の文字と併せて表示されるようになっている。よって、ジョブ実行履歴の提示を指示することにより、実行済みの各ジョブの中から取扱禁止画像を含むジョブを容易に判別することができる。また、ジョブサマリー情報にはジョブの実行指示主体を一意に特定するユーザＩＤが含まれるので、これを参照することにより、取扱禁止画像のコピー等を違法に行った者の追跡も容易に行うことができる。
【００３４】
（他の実施の形態）
本願発明は、種々の変形実施が可能である。
上記実施形態では、ジョブ実行履歴データベース１７ａにて禁止画像アトリビュート情報と関連付けられたジョブサマリー情報が選択されたときは、ジョブを実行して得たビットマップのサムネイル画像のうち、取扱禁止画像の描画領域が黒画素でマスキングされるようになっていた。これに対し、取扱禁止画像を含むジョブから得たビットマップをそうでないジョブから得たビットマップよりも低い解像度でサムネイル画像化することにより、サムネイル画像を閲覧したとしてもその中の取扱禁止画像の内容を判別し得ないようにしてもよい。
上記実施形態における画像処理装置１０は、コピーサービスとＦＡＸサービスのみを提供するようになっていたが、これに加えて、原稿をスキャンして得たビットマップをイメージファイルとして保存するスキャンサービスを提供してもよい。かかる変形例においては、スキャンサービスのジョブを実行する際に得たビットマップに取扱禁止画像が含まれているか否か判断し、取扱禁止画像が含まれていれば、そのジョブサマリー情報が禁止画像アトリビュート情報と対応付けてジョブ実行履歴データベース１７ａに記憶されることになる。また、ホストコンピュータから入力される文書や画像をビットマップ化して記録材に印字出力するプリントサービスを提供してもよい。かかる変形例においては、プリントサービスのジョブが、画像の印字出力を指示するものであるか否かをまず判断する。そして、画像の印字出力を指示するものである場合は、そのジョブを実行する際に得たビットマップに取扱禁止画像が含まれているか否かを更に判断することになる。
【図面の簡単な説明】
【００３５】
【図１】画像処理装置のハードウェア構成図である。
【図２】ジョブ実行履歴データベースのデータ構造図である。
【図３】ジョブ履歴蓄積処理を示すフローチャートである。
【図４】ジョブ履歴提示処理を示すフローチャートである（前半部分）。
【図５】ジョブ履歴提示処理を示すフローチャートである（後半部分）。
【図６】ジョブ実行履歴のリストを示す図である。
【図７】サムネイル画像の比較を示す図である。
【符号の説明】
【００３６】
１１…ユーザインターフェース、１２…ジョブ管理制御部、１３…モデム、１４…ＩＩＴ、１５…ＩＯＴ、１６…ジョブ実行制御部、１７…ハードディスク
【図１】
2007150983.tif 000003
【図２】
2007150983.tif 000004
【図３】
2007150983.tif 000005
【図４】
2007150983.tif 000006
【図５】
2007150983.tif 000007
【図６】
2007150983.tif 000008
【図７】
2007150983.tif 000009